(57)【特許請求の範囲】
【請求項１】
連接する４側面の上端にそれぞれ相対向して内側に折り込まれる一対の内フラップと、相対向して該内フラップの上に折り込まれる一対の外フラップとが設けられ、前記一対の内フラップと一対の外フラップとが折り込まれた状態で箱天面に開口が形成される包装箱において、
前記一対の内フラップには、該内フラップが前記側面に連接する折線に近接させて、該折線に向かってハの字状に一対の係合穴がそれぞれ配置され、
一方、外フラップには該外フラップが前記側面に連接する折線の両端から外フラップの先端縁に向かって斜め方向に２本の折線が形成されることにより、該外フラップの先端の左右隅部にほぼ山形の差込み片が形成されるとともに、該差込み片には、外フラップの先端側の外縁部分を切り取ることにより、それぞれ前記斜め方向の折線にほぼ平行な段部が形成され、かつ、該差込み片のそれぞれには前記斜め方向の折線に近接して或いは該折線上に該折線側が切込線により切り離され、反対側に差込み片と連接する折線を有するロック片が、切込み形成されていることを特徴とする再封緘可能な箱。
【請求項２】
連接する４側面の上端にそれぞれ相対向して内側に折り込まれる一対の内フラップと、相対向して該内フラップの上に折り込まれる一対の外フラップとが設けられ、前記一対の内フラップと一対の外フラップとが折り込まれた状態で箱天面に開口が形成される包装箱において、
前記一対の内フラップには、該内フラップが前記側面に連接する折線に近接させて、該折線に向かってハの字状に一対の係合穴がそれぞれ配置され、
一方、外フラップには該外フラップが前記側面に連接する折線の両端から該外フラップの先端縁に向かって斜め方向に２本の折線が形成されることにより、該外フラップの先端の左右隅部にほぼ山形の差込み片が形成されるとともに、該差込み片には、外フラップの先端側の外縁部分を切り取ることにより、それぞれ前記斜め方向の折線にほぼ平行な段部が形成され、該段部の奥まった部分に溝を切込むことにより、前記係合穴に係り留めできる突起が形成されていることを特徴とする再封緘可能な箱
【発明の詳細な説明】
【０００１】
【発明の属する技術分野】
本発明は、主として生鮮野菜や果実、或いは花卉などの農産物や園芸品を運搬するのに有用な再封緘可能な包装箱に関するものである。
【０００２】
【従来の技術】
従来、生鮮野菜や果実或いは花卉などを箱詰めして出荷する場合、一度に多数個が出荷されるので組立てが容易なＪＩＳ−Ｚ１５０７の０２０１形式（旧Ａ−１形）の箱が多用されている。
この箱は、長方形状の４側板を一方向に連接し、その４側板の上下に箱の底面及び天面を封鎖するため、それぞれ内フラップ及び外フラップを連接してなるほぼ直方体形状の箱である。この箱に収納物を収納した後、箱の天面を閉じる際に内外各フラップにより開口を設けるようにして閉じ、図９のように内外フラップの重なった部分を主としてステープルとよばれる金具Ｓにより、天面の四隅を止めて出荷していた。
【０００３】
【発明が解決しようとする課題】
しかし、前述のステープル方式による蓋の封緘作業は、封緘の都度、ステープルとステープル打込みマシンを用意する必要がある。またその封緘作業は箱組立作業における時間の大部分を占めているので、その作業性を改善することが望まれている。
また、生鮮野菜などの農産品の輸送箱は、一般に、品物を収納後流通の過程において検品が行われ、箱を開いて収納物の異常の有無等の検査を行う。検品後、箱を閉じて再封緘して運搬に供する。しかし金具により天面の四隅を止めている従来の箱では検品時の開封が容易でなく、包装箱天面のフラップを損傷させたり外観を損なうことが多く、そのうえ再封時には改めてステープルあるいはテープを用いて再封を必要とするという欠点を有し、フラップの損傷時には再封緘が困難となる。
さらに、使用済みの箱を廃棄処分する場合、ステープルが箱に打ち込まれたままであると、ステープルは金属であるため紙などの可燃物と一緒に焼却することができず、分別の必要がある。また、使用済みの箱を古紙として再利用する場合にあっても不純物として紙片から金属を分別する手間がかかるという不具合がある。このように、包装廃棄物の処理に伴なう環境問題を解決するに至っていない。
【０００４】
本発明の目的は、ステープルの使用を廃止して箱組立時の作業性と使用後の環境問題を解決すると同時に、検品作業等に備えて開封を容易にし、かつ確実な再封緘機能を有し、さらに輸送荷役中に箱詰めした品物が蒸れないように通気性を有した再封緘が容易な包装箱を提供するものである。
【０００５】
【課題を達成するための手段】
上記課題を解決するために本発明の箱は、次のような手段を採用した。
（１）   連接する４側面の上端にそれぞれ相対向して内側に折り込まれる一対の内フラップと、相対向して該内フラップの上に折り込まれる一対の外フラップとが設けられ、前記一対の内フラップと一対の外フラップとが折り込まれた状態で箱天面に開口が形成される包装箱において、
前記一対の内フラップには、該内フラップが前記側面に連接する折線に近接させて、該折線に向かってハの字状に一対の係合穴がそれぞれ配置され、
一方、外フラップには該外フラップが前記側面に連接する折線の両端から外フラップの先端縁に向かって斜め方向に２本の折線が形成されることにより、該外フラップの先端の左右隅部にほぼ山形の差込み片が形成されるとともに、該差込み片には、外フラップの先端側の外縁部分を切り取ることにより、それぞれ前記斜め方向の折線にほぼ平行な段部が形成され、かつ、該差込み片のそれぞれには前記斜め方向の折線に近接して或いは該折線上に該折線側が切込線により切り離され、反対側に差込み片と連接する折線を有するロック片が、切込み形成されている再封緘可能な箱である。
（２）   連接する４側面の上端にそれぞれ相対向して内側に折り込まれる一対の内フラップと、相対向して該内フラップの上に折り込まれる一対の外フラップとが設けられ、前記一対の内フラップと一対の外フラップとが折り込まれた状態で箱天面に開口が形成される包装箱において、
前記一対の内フラップには、該内フラップが前記側面に連接する折線に近接させて、該折線に向かってハの字状に一対の係合穴がそれぞれ配置され、
一方、外フラップには該外フラップが前記側面に連接する折線の両端から該外フラップの先端縁に向かって斜め方向に２本の折線が形成されることにより、該外フラップの先端の左右隅部にほぼ山形の差込み片が形成されるとともに、該差込み片には、外フラップの先端側の外縁部分を切り取ることにより、それぞれ前記斜め方向の折線にほぼ平行な段部が形成され、該段部の奥まった部分に溝を切込むことにより、前記係合穴に係り留めできる突起が形成されている再封緘可能な箱である。
【０００６】
【発明の実施の形態】
次に、本発明の実施の形態を図面について説明するが、本発明は以下の実施例に限定されるものではない。この実施例では、特に、とうもろこしなどの生鮮野菜を出荷する場合、輸送中に蒸れないように通気性を有した鮮度保持に好適な包装箱について説明する。
【０００７】
＜第１の実施例＞
図１は、第１の実施例を示す段ボール箱を構成するための組み立て前のシート（ブランクとも称する）を示すものであり、このブランク１０は、一例としてほぼ長方形をなす１枚の段ボールシートより形成されているが、板紙により形成することも可能である。
【０００８】
本実施の形態に示す箱は、前記ブランク１０の中央部に、箱の対向する各側面のうち長い面（長手面）を構成する一対の長方形の側板１１、１１と、短い面（幅面）を構成する長方形の側板１２、１２を折線を介し一方向に連接している。一対の側板１２、１２にはその中央部に手掛け穴１３が設けられている。
各一対の側板１１、１１および１２、１２の下部に、それぞれ一対の底面用外フラップ１４、１４及び底面用内フラップ１５、１５が折線を介して連接している。また、各一対の側板１１、１１および１２、１２の上部には天面用外フラップ１６、１６及び天面用内フラップ１７、１７が折線を介して連接している。
【０００９】
本発明において両天面用フラップ１６と１７の長さ方向の寸法Ｆ１は、箱の幅面を構成する側板１２の幅方向寸法Ｗの１／２よりも短い長さに形成されている。そのため、箱の組み立て時に、両天面用フラップ１６と１７を重ね合せて箱の天面を封緘するとき、箱天面に換気に好適な開口部１８が形成される（図２参照）。
一方、各底面用フラップ１４と１５の長さ方向の寸法Ｆ２は、箱の幅面を構成する側板１２の幅方向寸法Ｗの１／２の長さに形成されているので、底フラップ１４と１５を重ねあわせて箱の底面を封緘するときは底面全面が閉塞される。
なお符号１９、１９ａ、１９ｂは、側板１１の端部に連接した糊代と、その両端に設けた糊代である。
【００１０】
＜天蓋のロック機構＞
ところで前記の天面用外フラップ１６、１６及び天面用内フラップ１７、１７に、次のような構成をもつ天蓋のロック機構が形成されている。すなわち、天面用内フラップ１７、１７が側面に連接する折線（連接折線）に近接させて、該折線に向かってハの字状に一対の係合穴２０ａ、２０ｂをそれぞれ設けている。各係合穴の形状は特に限定されない。
一方、天面用外フラップ１６、１６はその天面用外フラップの連接する折線の両端から該天面用外フラップ先端縁に向かって斜め方向に２本の折線２１ａ、２１ｂを形成することにより、該天面用外フラップの先端の左右両側に、山形の差込み片２２ａ、２２ｂを設け、この差込み片には、外フラップ先端側の外縁部分に上記斜め方向の折線２１ａと平行な段部２３ａ、２３ｂを形成する。
また、山形の差込み片２２ａ、２２ｂには、斜め方向の折線２１ａ、２１ｂに近接して、ロック片２４ａ、２４ｂを折線２１ａ、２１ｂ側が切込線により切り離されるようにほぼコの字状の切り込みとして設けている。２５ａ、２５ｂはロック片が差込み片と連接するようにその付け根に設けた折線である。
【００１１】
このような構成を有するブランクを組み立てるには４枚の側板１１、１１、１２、１２を糊代１９、１９ａ、１９ｂを介して角筒状に連結した後、底面用外フラップ１４、１４及び底面用内フラップ１５、１５を糊付けして底面を封緘する。
このようにして箱を組み立てた後、収納物を箱内に収容する。さらに、天面用外フラップ１６、１６と天面用内フラップ１７、１７とにより天面を封緘する場合は、まず、天面用内フラップ１７、１７を側板１２と連接する折線で箱の内側に折り曲げる。次に、天面用外フラップ１６、１６を側板１１との連接折線部で内側に折り曲げつつ、山形の差込み片２２ａ、２２ｂを斜め方向の折線２１ａ、２１ｂを介して、ハの字状の係合穴２０ａ、２０ｂに向かって、斜め上方から差し込む。このとき山形の差込み片２２ａ、２２ｂに設けたロック片２４ａ、２４ｂは天面用内フラップ１７、１７に設けた係合穴２０ａ、２０ｂの縁にぶつかり、差込み片２２ａ、２２ｂを係合穴２０ａ、２０ｂから抜こうとすると、このロック片２４ａ、２４ｂは係合穴２０ａ、２０ｂの下側に移動し、差込み片２２ａ、２２ｂとこのロック片２４ａ、２４ｂとで、天面用内フラップ１７、１７を上下から挟む（図３）。この場合、差込み片２２ａ、２２ｂが折線２１ａ、２１ｂの反発力により係合穴２０ａ、２０ｂから抜け出ようしてもロック片２４ａ、２４ｂはそれを防止する逆止弁として働くので、天面の内外フラップの重ね合せ部（天面の四隅）をステープルで止めて封緘した場合と同様に、内外フラップの開きを防止する作用を奏する。
【００１２】
従って、図２に示したように箱は、天面に開口１８を有していても天面用外フラップ１６、１６と天面用内フラップ１７、１７は荷役中不用意に開くことなく、確実に固定できる。
なお、収納物の点検時など箱天面を開封するときは、天面用外フラップ１６、１６の中央部先端を強制的に上方向に引き上げると、前記ロック片２４ａ、２４ｂは折線２５ａ、２５ｂの部分を支点に反転して、箱の天面を容易に開封することができる。
【００１３】
＜第２の実施例＞
図５は、第２実施例の段ボール箱を構成するためのブランクを示すものであり、このブランク３０は、第１実施例と同様に段ボールシートより形成されている。この実施態様における箱全体の構成は第１の実施例と実質的に同一であるので図面中、同一部分について同一符号で表わし、各部材についての説明を省略し、以下、異なる点についてのみ詳述する。
【００１４】
この実施態様のものは、図５に示したように第１の実施例と同様に、天面用内フラップ１７、１７が側面に連接する折線（連接折線）に近接させて、該折線に向かってハの字状に一対の係合穴２０ａ、２０ｂがそれぞれ設けられている。各係合穴の形状は特に限定されない。
一方、天面用外フラップ１６、１６には、その連接折線の両端からそのフラップの先端縁に向かって斜め方向に２本の折線２１ａ、２１ｂを形成することにより、該天面用外フラップの先端の左右両端側に小さい山形の差込み片２２ａ、２２ｂを設け、かつ山形差込み片には、外フラップ先端側の外縁部分に、斜めの折線２１ａとほぼ平行な段部２３ａ、２３ｂを形成して、該段部２３ａ、２３ｂの奥まった部分にロック用の溝２６ａ、２６ｂを切り込むことにより、前記係合穴２０ａ、２０ｂに係り留めされる突起２７ａ、２７ｂを形成したものである。
【００１５】
従って、図７に示したように山形の差込み片２２ａ、２２ｂを斜めの折線２１ａ、２１ｂを介して係合穴２０ａ、２０ｂに向かって斜め上方から差し込んだ場合、山形の差込み片２２ａ、２２ｂに設けたロック用の溝２６ａ、２６ｂにより形成した突起２７ａ、２７ｂは係合穴２０ａ、２０ｂの縁に係合する。差込み片２２ａ、２２ｂを上方に引っ張り上げて係合穴２０ａ、２０ｂから抜こうとすると、この突起２７ａ、２７ｂと係合穴の縁とが強く噛み合うこととなり天面用外フラップ１６はロックされる。従って、差込み片２２ａ、２２ｂが折線２１ａ、２１ｂの反発により係合穴２０ａ、２０ｂから抜け出ようしても突起２７ａ、２７ｂが防止するので、天面の内外両フラップの重ね合せ部（天面の四隅）をステープルで固定した場合と同様に、輸送時状態の箱天面の内外フラップを確実に固定する作用を奏する。
【００１６】
なおこの実施例の場合においては、点検時などに箱天面を開封するときには、天面用外フラップ１６、１６と天面用内フラップ１７、１７の係合部を強制的に下方向に押すと、突起２７ａ、２７ｂと係合穴２０ａ、２０ｂとの噛合いがゆるくなり、ロックは解除されるので、その状態で天面用外フラップ１６、１６をゆっくりと引き上げれば、箱の天面を容易に開封することができる。
【００１７】
【発明の効果】
以上のように本発明の構成によれば、箱の封緘にステープルの使用を廃止し、箱の組立作業性と環境問題を改善することができ、また本発明は流通時の検品作業に備えて開封を容易にすることができ、かつ確実で容易な再封緘機能を有するとともに、さらに箱詰めした品物が輸送中に蒸れないように通気性を有した包装箱を提供することができるものである。
【図面の簡単な説明】
【図１】本発明による箱の一実施例を示すブランクの平面図である。
【図２】同上実施例の箱の組立て斜視図である。
【図３】同上実施例における差込み片と係合穴との係合状況を示した部分拡大断面図である。
【図４】同上部分拡大平面図である。
【図５】本発明による箱の他の実施例を示すブランクの平面図である
【図６】同上実施例の箱の組立て斜視図である。
【図７】同上実施例における差込み片と係合穴との係合状況を示した部分拡大断面図である。
【図８】同上部分拡大平面図である。
【図９】ステープルとよばれる金具Ｓにより天面の四隅を止めた従来の包装箱の斜視図である。
【符号の説明】
１０、３０  ブランク
１１  側板
１２  側板
１３  手掛け穴
１４  底面用外フラップ
１５  底面用内フラップ
１６  天面用外フラップ
１７  天面用内フラップ
１８  開口部
１９  糊代
２０ａ、２０ｂ  係合穴
２１ａ、２１ｂ  斜め方向の折線
２２ａ、２２ｂ  山形の差込み片
２３ａ、２３ｂ  段部
２４ａ、２４ｂ  ロック片
２５ａ、２５ｂ  折線
２６ａ、２６ｂ  ロック用溝
２７ａ、２７ｂ  突起
【図１】
0004260361.tif 000002
【図２】
0004260361.tif 000003
【図３】
0004260361.tif 000004
【図４】
0004260361.tif 000005
【図５】
0004260361.tif 000006
【図６】
0004260361.tif 000007
【図７】
0004260361.tif 000008
【図８】
0004260361.tif 000009
【図９】
0004260361.tif 000010